(57)【要約】【課題】既存の鞄に対して容易に装着でき、かつ装着後においても持ち運びが容易になる収納部材及びこれを備えた鞄を提供する。【解決手段】鞄１の把持部３を挿通させるための挿通孔１２が形成され、当該挿通孔１２に前記把持部３を挿通させて鞄１の表面に装着され得る収納部材１０であって、前記鞄１に装着された状態で前記鞄１の表面を覆うカバー部１４と、前記カバー部１４に設けられ被収納物を収納可能な収納部１８と、を有することを特徴とする。【選択図】      図１
2014168605.tif 000002
【特許請求の範囲】
【請求項１】
鞄の把持部を挿通させるための挿通孔が形成され、当該挿通孔に前記把持部を挿通させて鞄の表面に装着され得る収納部材であって、
前記鞄に装着された状態で前記鞄の表面を覆うカバー部と、
前記カバー部に設けられ被収納物を収納可能な収納部と、
を有することを特徴とする収納部材。
【請求項２】
前記カバー部は、
前記鞄に装着された状態で前記鞄の一方側表面を覆う第１カバー部と、
前記鞄に装着された状態で前記鞄の他方側表面を覆う第２カバー部と、
を有することを特徴とする請求項１に記載の収納部材。
【請求項３】
前記第１カバー部側と前記第２カバー部側とを相対的に固定する固定部をさらに備えたことを特徴とする請求項２に記載の収納部材。
【請求項４】
前記カバー部には、取付部が接続され、
前記取付部には、被収納物を収納可能な収納部がさらに設けられていることを特徴とする請求項１乃至３のいずれか１項に記載の収納部材。
【請求項５】
請求項１乃至４のいずれか１項に記載の収納部材が表面に装着されていることを特徴とする鞄。
【発明の詳細な説明】
【技術分野】
【０００１】
本発明は、収納部材及びこれを備えた鞄に関する。
【背景技術】
【０００２】
例えば、会社の勤務中に突然、お客様や上司等から出張を命ぜられることがある。この場合、シャツ、靴下、下着類のストックが会社にある場合でも、通勤用の薄い鞄しか持っていなければ、これらの衣類を収納する鞄を別途購入しなければならず、極めて不便である。
【０００３】
ここで、従来では、鞄やケースなどに着脱可能な収納部材が知られている（下記各特許文献参照）。
【０００４】
【特許文献１】特開平１０−２８６０９号公報
【特許文献２】実用新案登録第３００９７８４号公報
【発明の概要】
【発明が解決しようとする課題】
【０００５】
ところで、上記従来の収納部材は、予め鞄やケースに取り付けられている状態を想定した設計であり、必要に応じて、収納部材を鞄やケースから取り外すことができるものである。
【０００６】
このため、従来の収納部材付きの鞄やケースでは、鞄やケースなどに収納部材を取り付けるための特殊な取付構造が予め施されており、部品点数が増加して、製造コストの上昇の原因となっていた。
【０００７】
また、上記収納部材を鞄やケースに取り付けた状態では、収納部材だけが鞄やケースから大きく出っ張った状態になり、意匠性が悪く、持ち運びに不便であった。換言すれば、出張の予定がわからない日々の勤務では、出張の予定が突然入ることを想定して、収納部材を常に取り付けた状態の鞄やケースを持って通勤しなければならず、持ち運びに適さず、極めて不便な鞄やケースになっていた。
【０００８】
そこで、本発明は、上記問題点に鑑み、既存の鞄に対して容易に装着でき、かつ装着後においても持ち運びが容易になる収納部材及びこれを備えた鞄を提供することを目的とする。
【課題を解決するための手段】
【０００９】
本発明は、鞄の把持部を挿通させるための挿通孔が形成され、当該挿通孔に前記把持部を挿通させて鞄の表面に装着され得る収納部材であって、前記鞄に装着された状態で前記鞄の表面を覆うカバー部と、前記カバー部に設けられ被収納物を収納可能な収納部と、を有することを特徴とする。
【００１０】
この場合、前記カバー部は、前記鞄に装着された状態で前記鞄の一方側表面を覆う第１カバー部と、前記鞄に装着された状態で前記鞄の他方側表面を覆う第２カバー部と、を有することが好ましい。
【００１１】
この場合、前記第１カバー部側と前記第２カバー部側とを相対的に固定する固定部をさらに備えたことが好ましい。
【００１２】
この場合、前記カバー部には、取付部が接続され、前記取付部には、被収納物を収納可能な収納部がさらに設けられていることが好ましい。
【００１３】
また、本発明は、上記収納部材が表面に装着されている鞄であることを特徴とする。
【発明の効果】
【００１４】
本発明の収納部材によれば、収納部材の挿通孔に既存の鞄の把持部を挿通させて、収納部材を鞄の表面に被せるようにして鞄に装着する。そして、収納部材のカバー部が鞄の表面を覆う。これにより、収納部材を既存の鞄に対して容易に装着することができる。また、収納部材を鞄から容易に取り外すことも可能である。このように、既存の鞄に特殊な構造を一切施すことなく、既存の鞄に対して収納部材を容易に着脱することができる。
【００１５】
カバー部には、被収納物を収納可能な収納部が設けられている。このため、収納部に被収納物を収納することができる。収納部がカバー部側に設けられているため、既存の鞄に施すべき取付構造が不要になり、既存の鞄の携帯性に支障が生じることがない。
【００１６】
収納部材の挿通孔に既存の鞄の把持部を挿通させて、収納部材を鞄の表面に被せるようにして鞄に装着したときに、収納部材の第１カバー部が鞄の一方側表面を覆い、第２カバー部が鞄の他方側表面を覆う。収納部が第１カバー部と第２カバー部のいずれか一方又は両方に設けることができるため、収納部材の設計自由度を高めることができる。
【００１７】
第１カバー部側と第２カバー部側とを相対的に固定する固定部をさらに備えているため、第１カバー部側と第２カバー部側とを相対的に固定することができる。これにより、収納部材を鞄に装着した後に、収納部材が鞄から容易にはがれてしまうことを防止できる。
【００１８】
カバー部には取付部が接続され、この取付部には被収納物を収納可能な収納部がさらに設けられているため、被収納物の収納量を増大させることができる。
【００１９】
本発明の鞄によれば、既存の鞄に対して容易に装着できる収納部材に被収納物を収納することができるため、荷物が増えた場合でも、新しい鞄が不要になる。この結果、出張や旅行に便利である。
【００２０】
また、特殊な構造を備えていない既存の鞄に対して収納部材を装着できるため、鞄に対して特殊な構造を予め設ける必要がなくなり、日々の通勤時においても、鞄の持ち運びに支障が生じることがない。
【図面の簡単な説明】
【００２１】
【図１】本発明の一実施形態に係る収納部材を装着した鞄の斜視図である。
【図２】（Ａ）は本発明の一実施形態に係る収納部材の第１カバー部と第２カバー部とが１８０度開いた状態の正面図であり、（Ｂ）はその左側面図である。
【図３】本発明の一実施形態に係る収納部材の第１カバー部と第２カバー部とが１８０度開いた状態の背面図である。
【図４】（Ａ）は本発明の一実施形態に係る収納部材の第１カバー部と取付部とが略１８０度開いた状態における正面図であり、（Ｂ）はその右側面図である。
【図５】本発明の一実施形態に係る収納部材（被収納物が収納されていない状態の収納部材）を鞄に装着した状態の左側面図である。
【図６】本発明の一実施形態に係る収納部材（被収納物が収納されている状態の収納部材）を鞄に装着した状態の左側面図である。
【図７】図２（Ａ）のＸ−Ｘ間で切断した断面図である。
【発明を実施するための形態】
【００２２】
次に、本発明の一実施形態に係る収納部材及びこれを備えた鞄について、図面を参照して説明する。
【００２３】
図１乃至図７に示すように、収納部材１０は、主として、鞄１の把持部３を挿通させるための挿通孔１２と、鞄１に装着された状態で鞄１の表面を覆うカバー部１４と、カバー部１４に設けられ被収納物を収納可能なカバー部側収納部１８と、を有している。
【００２４】
収納部材１０は、挿通孔１２に鞄１の把持部３を挿通させて、既存の鞄１の表面に装着するものである。既存の鞄１に対して容易に装着することができる点が本願発明の収納部材１０の大きな特徴の一つである。
【００２５】
収納部材１０の材質は、ナイロンやポリエステルなどの他に、麻、革、綿、絹、ゴムなどで構成可能であり、特定の材質に限られるものではない。
【００２６】
カバー部１４は、鞄１に装着された状態で鞄１の一方側表面のみを覆う片側タイプのものと、鞄１に装着された状態で鞄１の両側表面を覆う両側タイプのものと、がある。なお、本実施形態では、両側タイプを一例として説明するが、これに限られる趣旨ではない。
【００２７】
両側タイプのカバー部１４は、鞄１に装着された状態で鞄１の一方側表面５Ａを覆う第１カバー部１４Ａと、鞄１に装着された状態で鞄１の他方側表面５Ｂを覆う第２カバー部１４Ｂと、で構成されている。
【００２８】
図２（Ａ）及び図３に示すように、第１カバー部１４Ａと第２カバー部１４Ｂとが１８０度開いた状態の平面視では、収納部材全体として略長方形状に形成されている。なお、収納部材全体として略長方形状に形成されているが、この形状に限られる趣旨ではなく、正方形などの角形状、円や楕円などの丸形状なども採用できる。
【００２９】
収納部材１０の略中央側には、前記挿通孔１２が形成されている。挿通孔１２は、収納部材１０を厚み方向に貫通する貫通孔である。挿通孔１２の形状は、例えば、長方形状に形成されているが、特に限定されるものではない。挿通孔１２の寸法は、鞄１の把持部３の大きさとの関係で決定され、把持部３が挿通できる程度であればよい。
【００３０】
なお、挿通孔１２には開口面積を調整するための開口面積調整機構を設けてもよい。開口面積調整機構として、例えば、スリット、チャック等が一例にあげられるが、これらに限定されるものではない。このように、開口面積調整機構を設けることにより、把持部３の大きさが鞄１の種類によって異なる場合でも、全ての種類の鞄１の把持部３を挿通孔１２に挿通させることができる。
【００３１】
挿通孔１２の近傍には、係合部１６が設けられている。係合部１６は、例えば、挿通孔１２の内縁側に設けられた係合片１６Ａと、係合片１６Ａと第１カバー部１４Ａ又は第２カバー部１４Ｂとの係合を維持するための係合維持手段１６Ｂと、を有している。
【００３２】
係合維持手段１６Ｂとして、例えば、係合片１６Ａ側に設けられた第１係合維持部と、第１カバー部１４Ａ側又は第２カバー部１４Ｂ側に設けられ第１係合維持部と係合する第２係合維持部と、で構成されている。
【００３３】
さらに詳細には、第１係合維持部と第２係合維持部とは面ファスナで構成されている。この構成では、第１係合維持部がフック状に起毛されたフック側又はループ状に密集して起毛されたループ側の一方で構成され、第２係合維持部がフック状に起毛されたフック側又はループ状に密集して起毛されたループ側の他方で構成されている。
【００３４】
なお、係合維持手段１６Ｂとは面ファスナに限られるものではなく、チャック、ボタン、紐、磁石、ベルトなど双方を相互に結び付け、あるいは相互に固定できる構成であればよい。
【００３５】
このように、係合部１６が設けられていることにより、既存の鞄１の把持部３が挿通孔１２を抜け出た状態を維持でき、収納部材１０が鞄１からはがれてしまうことを防止できる。
【００３６】
図４乃至図７に示すように、第１カバー部１４Ａには、カバー部側収納部１８が設けられている。図１等では、カバー部側収納部１８は、第１カバー部１４Ａの内側に設けられている構成を示すが、これに限られる趣旨ではない。ここで、本実施形態では、第１カバー部１４Ａの内側とは、収納部材１０を鞄１に装着した状態で外観からカバー部側収納部１８に視認できない位置と定義する。
【００３７】
当然ながら、カバー部側収納部１８は、第１カバー部１４Ａの外側、換言すれば、収納部材１０を鞄１に装着した状態で外観からカバー部側収納部１８に視認できる位置に設けられていてもよい。また、カバー部側収納部１８は、第１カバー部１４Ａの外側と内側の両方に設けられている構成でもよい。
【００３８】
カバー部側収納部１８は、全体として袋状に形成された袋状部で構成されている。換言すれば、カバー部側収納部１８は、ポケット部であると定義することも可能である。
【００３９】
カバー部側収納部１８の入口近傍には、被収納物を収納するときの入口を塞ぐための蓋部２０が設けられている。この蓋部２０は、係合維持手段２２（図４（Ａ）参照）によりカバー部側収納部１８の表面側に係合して、入口を封鎖する。
【００４０】
なお、係合維持手段２２として、例えば、面ファスナ等で構成されているが、チャック、ボタン、ベルト、紐、磁石等でもよい。
【００４１】
カバー部側収納部１８には、被収納物の収納量を調整するためのマチ部を適宜設けてもよい。
【００４２】
なお、上記カバー部側収納部１８は、第２カバー部１４Ｂ側に設けられていてもよく、あるいは、第１カバー部１４Ａと第２カバー部１４Ｂとの両方にそれぞれ設けられている構成でもよい。
【００４３】
ここで、カバー部側収納部１８が第２カバー部側に設けられている態様では、第１カバー部側に設けられている構成と同様にして、カバー部側収納部１８が第２カバー部１４Ｂの外側（外部から視認できる部位）又は内側（外部から視認できない部位）のいずれか一方又は両方に設けられる。
【００４４】
第１カバー部１４Ａには、取付部２４が接続されている。なお、取付部２４の第１カバー部１４Ａに対する接続方法として、例えば、縫い付け等により実現されているが、これに限られるものではなく、チャック、ベルト、ボタン等でもよい。
【００４５】
詳細には、第１カバー部１４Ａの内側、換言すれば図５及び図６においてカバー部側収納部１８が設けられている側には、取付部２４が接続されている。そして、この取付部２４の一部が前記蓋部２０を構成している。このため、取付部２４が蓋部２０の機能を兼ねることにより、部品点数を削減することができる。なお、取付部２４の一部とは、縫い付け部に関して一方側に延びた部位と定義する。
【００４６】
図４乃至図７に示すように、取付部２４の本体には、取付部側収納部２６が形成されている。なお、取付部２４の本体とは、縫い付け部に関して他方側に延びた部位と定義する。本実施形態では、取付部２４の本体側が一部側より長くなるように設定されている。
【００４７】
取付部側収納部２６は、カバー部側収納部１８と同様にして、全体として袋状に形成された袋状部で構成されている。換言すれば、取付部側収納部２６は、ポケット部と定義することも可能である。
【００４８】
取付部側収納部２６の入口には、係合維持手段２８（図４（Ａ）参照）が設けられている。係合維持手段２８として、例えば、面ファスナ等で構成されているが、チャック、ボタン、ベルト等で構成してもよい。係合維持手段２８が設けられていることにより、取付部側収納部２６の入口を閉塞又は開放することが可能になる。
【００４９】
取付部側収納部２６には、カバー部側収納部１８と同様にして、蓋部やマチ部を適宜設けてもよい。
【００５０】
ここで、図５及び図６に示すように、収納部材１０が鞄１に装着された状態では、カバー部側収納部１８と取付部側収納部２６が鞄１の一方側表面５Ａ側に位置する。そして、カバー部側収納部１８が取付部側収納部２６と対面する。詳細には、収納部材１０が装着された鞄１の側面方向から見て、カバー部側収納部１８と鞄１の一方側表面５Ａとの間に、取付部側収納部２６が位置している。これにより、カバー部側収納部１８と取付部側収納部２６との両方を配置した構成においても、鞄１の側面方向のデッドスペースを利用することができるため、全体としてコンパクトに調整することができる。この結果、鞄１が歪な形になって持ち運び難くなることがない。
【００５１】
収納部材１０が鞄１に装着された状態では、カバー部側収納部１８の端部と取付部側収納部２６の端部とが略一致するように設定されている。これにより、収納部材１０を鞄１に装着したときの意匠性が向上する。なお、当然ながら、カバー部側収納部１８の端部と取付部側収納部２６の端部とが略一致する構成に限定されるものではなく、いずれか一方の長さが他方よりも長くなるように設計してもよい。  
【００５２】
なお、取付部２４は、第１カバー部１４Ａと第２カバー部１４Ｂとの間に配置されている構成に限られず、第１カバー部１４Ａの外側表面又は第２カバー部１４Ｂの外側表面に位置している構成でもよい。
【００５３】
また、取付部２４には、ベルト通し部（図示省略）を適宜設け、ベルト通し部にショルダーベルトを通してもよい。ベルト通し部として、例えば、リング状部等が挙げられるが、これに限定される趣旨ではない。さらには、ベルト通し部は、取付部２４以外の部位に設けられている構成でもよい。このように、ベルト通し部を設け、これにショルダーベルトを通すことにより、鞄１が重い場合でも、肩にかけることができる。この結果、収納部材１０及び鞄１の携帯性を高めることができる。
【００５４】
図２乃至図６に示すように、第１カバー部１４Ａ側と第２カバー部１４Ｂ側とを相対的に固定するための固定部３０が設けられている。
【００５５】
固定部３０は、第１カバー部１４Ａ側と第２カバー部１４Ｂ側とを相対的に固定できる構成であれば、特に構成が限定されるものではない。
【００５６】
本実施形態では、図３乃至図６に示すように、固定部３０は、第１カバー部１４Ａ側に含まれる取付部２４の端部、換言すれば取付部側収納部２６の端部に設けられたリング状部３０Ａと、第２カバー部１４Ｂの端部に設けられた紐状部３０Ｂと、で構成されている。
【００５７】
収納部材１０の第１カバー部１４Ａを鞄１の一方側表面５Ａに被せ、第２カバー部１４Ｂを鞄１の他方側表面５Ｂに被せた後、紐状部３０Ｂをリング状部３０Ａに通して結びつけることにより、第１カバー部１４Ａ側と第２カバー部１４Ｂ側とを相対的に固定することができる。そして、紐状部３０Ｂが鞄１の底面を横断する状態になるため、収納部材１０が鞄１からはがれてしまうことを防止できる。
【００５８】
なお、固定部３０の構成は上記に限定されることはなく、例えば、ベルト、バックル、紐などの構成を採用してもよい。
【００５９】
本実施形態によれば、図１及び図５に示すように、収納部材１０の挿通孔１２に鞄１の把持部３を挿通させ、第１カバー部１４Ａを鞄１の一方側表面５Ａに被せ、第２カバー部１４Ｂを鞄１の他方側表面５Ｂに被せる。そして、固定部３０により第１カバー部側と第２カバー部側とを相対的に固定する。これにより、収納部材１０が鞄１からはがれてしまうことを防止できる。
【００６０】
そして、カバー部側収納部１８と取付部側収納部２６とに被収納物を収納する。これにより、緊急の出張等においても、既存の鞄１に収納部材１０を装着することにより、被収納物の収納量を増大させることができる。この結果、既存の鞄１をそのまま出張用鞄として利用することができ、着替え等の被収納物を収納するための新しい鞄をわざわざ購入する必要がない。
【００６１】
このように、緊急の出張時には、収納部材１０を既存の鞄１に対して容易に装着することができるため、既存の鞄１に特殊な構造を一切施す必要がなく、鞄１の部品点数を削減できる。さらには、鞄１が大型化することを防止できる。これにより、日々の通勤時においては、たとえ緊急の出張の予定が入ることが予想できない場合でも、小型の鞄１を携帯することができ、鞄１の持ち運びに支障が生じることがない。
【００６２】
なお、収納部材１０を使用しない場合には、収納部材１０を丸めて小さくすることができる。そして、収納部材１０を既存の鞄１の内部に収容するか、あるいは勤務先の机の引き出し等に収容しておくことにより、緊急の出張があった場合に利用することができ、便利である。
【００６３】
また、収納部材１０を既存の鞄１に装着した状態では、各収納部１８、２６が鞄１の表面方向側に設けられたデッドスペースに位置する。これにより、図６に示すように、大量の被収納物を収納して各収納部１８、２６の容積が増えた場合でも、鞄１のデットスペースを有効に利用することができるため、鞄全体が歪な形に大きく膨らむことを防止できる。
【００６４】
また、第１カバー部１４Ａが鞄１の一方側表面５Ａに被せられ、第２カバー部１４Ｂが鞄１の他方側表面５Ｂに被せられることにより、鞄１の表面を収納部材１０で覆うことができる。これにより、鞄１の表面が収納部材１０に隠れることになり、鞄１の防水機能を高めることができる。この結果、雨天時において収納部材１０を鞄１に装着することにより、鞄１が濡れたり、あるいは汚れたりすることを防止することができる。
【００６５】
さらに、本実施形態では、収納部材１０に第１カバー部１４Ａと第２カバー部１４Ｂとを設けることにより、カバー部側収納部１８を第１カバー部１４Ａ又は第２カバー部１４Ｂのいずれかに設けることができる。この結果、カバー部側収納部１８の設計自由度を高めることができる。
【符号の説明】
【００６６】
１        鞄
３        把持部
５Ａ      一方側表面
５Ｂ      他方側表面
１０      収納部材
１２      挿通孔
１４      カバー部
１４Ａ    第１カバー部
１４Ｂ    第２カバー部
１６      係合部
１８      カバー部側収納部（収納部）
２０      蓋部
２２      係合手段
２４      取付部
２６      取付部側収納部（収納部）
２８      係合維持手段
３０      固定部
３０Ａ    リング状部
３０Ｂ    紐状部  
【図１】
2014168605.tif 000003
【図２】
2014168605.tif 000004
【図３】
2014168605.tif 000005
【図４】
2014168605.tif 000006
【図５】
2014168605.tif 000007
【図６】
2014168605.tif 000008
【図７】
2014168605.tif 000009